(57)【要約】【課題】従来の接続ロックを改良し、構造の簡略化により、製造経費が軽減されると共に、より使い勝手の良い新式の接続ロックを提供する。【解決手段】ロック外殻１、ロック・プレート２、エキセン・ロック・カム３を備えた接続ロックであって、ロック・プレート２には先端に複数のプレートつまみがあり、プレートつまみは幅の異なる２つの細長状溝により分かれている。プレートつまみ先端はフック２１、２２、２３を形成し、それぞれのフックは隣接するフックとは逆方向に湾曲している。フック板の後端は湾曲しており、平面状の先端部２６１を有するＵ字状の半環部２６を形成している。支持構造は３つのプレートつまみのそれぞれの移行斜面２３１、２１１、２２１とロック外殻１前方の傾斜座面１３１，１２１，１１１から構成され、固定構造はロック・プレート２の止め歯２７、エキセン・ロック・ホイール３のエキセン・カム３３２から構成される。【特許請求の範囲】
【請求項１】
ロック外殻１とロック・プレート２とエキセン・ロック・カム３を備えた接続ロックであって、
ロック・プレート２はロック外殻１に挿入され、挿入後、エキセン・ロック・カム３はロック外殻１の底部にある弧状部１５１を有する開口部１５から、ロック・プレート２の孔部５５を貫通し、ロック外殻１上部の孔部５３へ挿入され、
ロック・プレート２上には２つの細長状溝部があり、細長状溝部はそれぞれ異なる３つの幅の部分４１，４２，４３から成り、
細長状溝部によって、ロック・プレートの先端に異なる幅の３つのロックつまみが形成され、
このロックつまみの先端はフック２１，２２，２３とされ、それぞれのフックは隣り合ったフックとは逆方向に湾曲し、
接続ロックの固定構造は、ロック・プレート２の止め歯２７とエキセン・ロック・カム３の円形エキセン・カム３３２から構成されている、
ことを特徴とする接続ロック。
【請求項２】
ロック・プレート２に障壁歯２８を備えた請求項１記載の接続ロック。
【請求項３】
ロック外殻１上面に第１方形開口１４６を備えた請求項１記載の接続ロック。
【請求項４】
ロック外殻１上部に第２方形開口１６を備えた請求項１記載の接続ロック。
【請求項５】
ロック外殻１底部内側面にフランジ付帯１７を備えた請求項１記載の接続ロック。
【請求項６】
ロック・プレート２の孔部５５にフランジ５５１を備えた請求項１記載の接続ロック。
【請求項７】
ロック・プレート２の後端部が湾曲し、平面状の先端部２６１を有するＵ字状の半環部２６を形成する請求項１記載の接続ロック。
【請求項８】
ロック・プレート２にクサビ型突出部２６２を備えた請求項１記載の接続ロック。
【発明の詳細な説明】
【技術分野】
【０００１】
本発明は接続ロック、展示スタンドを接続するロックに関する。
【背景技術】
【０００２】
展示スタンドは、展示会その他の場で製品を展示および説明するためなどに用いられ、一般的には定置の接続ロックによって接続及び固定された縦軸材と横軸材で構成される。先行文献である中国特許ZL99113438及びZL99113439では、接続ロックが開示されており、図１には、接続ロックの複合構造、図２及び図３には、ロック・プレートの形態と構造、図４には、ロック外殻１の形態と構造が表されている。これらの図から接続ロックには、ロック・プレート２、エキセン・ロック・カム３及びロック外殻１によって構成されていることが分かる。ロック・プレート２はロック外殻１に挿入され、挿入後、エキセン・ロック・カム３はロック外殻１の底部にある弧状部１５１を有する開口部１５から（図４参照）、ロック・プレート２の孔部５を貫通し、ロック外殻１上部の孔部５３へ挿入される。挿入後、エキセン・ロック・カム３は回転し、定位置に固定される。
【０００３】
図２には、接続ロックのロック・プレート２の形態と構造が表されている。図に表されるように、ロック・プレート２上には２つの細長状溝部があり、細長状溝部はそれぞれ異なる３つの幅の部分４１，４２，４３から成り、細長状溝部によって、ロック・プレート２の先端に異なる幅の３つのロックつまみが形成されている。プレートつまみの先端は湾曲しフック２１、２２、及び２３を形成し、それぞれ隣り合うフックとは逆方向に湾曲している。ロック・プレート２の後端部は婉曲し、平面状の先端部２６１を有するＵ字状の半環部２６を形成している。
【０００４】
エキセン・ロック・カム３の回転時に、エキセン・ロック・カム３上のカム大３６１が先端部２６１を押迫することにより、ロック・プレート２がロック外殻１の後端１１０６の方向へ移動する。これにより、プレートつまみ上の斜面２３１，２３２，２３３が、それぞれ傾斜座面１３１，１２１，１１１に沿って後方に移動する。この斜面の移動によってロック・プレート２の先端上の３つのフック２１，２２，２３が反対方向に引っ張られ、横軸材に固定されている接続ロックが、縦軸材内部に固定される。この結果、安定し固定されたフレーム展示板が実現する。エキセン・ロック・カム３の先端に位置するストップカム小３６２が、ロック・プレート２上の孔部５の側面を圧迫（押圧）することによって、ロック・プレート２の動きが止められ固定されている。
【０００５】
上記の接続ロックは使い勝手がよく、幅広く利用されている。しかしながら、２つのカム大３６１、カム小３６２というエキセン・カム３が存在することにより、製造工程が複雑である。ストップカム小３６２を省略することにより製造工程は簡略化するが、それによって固定構造を変えなければならないため、技術面での問題が生じる。
【発明の開示】
【発明が解決しようとする課題】
【０００６】
本発明の目的は、上記の技術的問題点を解決し、従来の接続ロックを改良し、構造の簡略化により、製造経費が軽減されると共に、より使い勝手の良い新式の接続ロックを提供することである。
【課題を解決するための手段および発明の効果】
【０００７】
本発明の技術的解決方法は下記に述べるとおりである。展示スタンドなどに利用される接続ロックは、ロック外殻１とロック・プレート２とエキセン・ロック・カム３を備えた接続ロックであって、
ロック・プレート２はロック外殻１に挿入され、挿入後、エキセン・ロック・カム３はロック外殻１の底部にある弧状部１５１を有する開口部１５から、ロック・プレート２の孔部５５を貫通し、ロック外殻１上部の孔部５３へ挿入され、
ロック・プレート２上には２つの細長状溝部があり、細長状溝部はそれぞれ異なる３つの幅の部分４１，４２，４３から成り、
細長状溝部によって、ロック・プレート２の先端に異なる幅の３つのロックつまみが形成され、
このロックつまみの先端はフック２１，２２，２３とされ、それぞれのフックは隣り合ったフックとは逆方向に湾曲し、
接続ロックの固定構造は、ロック・プレート２の止め歯２７とエキセン・ロック・カム３の円形エキセン・カム３３２から構成されている。
【０００８】
ロック・プレート２の後端部が婉曲し平面状の先端部２６１を有するＵ字状の半環部２６を形成している。プレートつまみはそれぞれ傾斜面２３１，２１１，２２１を有する。ロック外殻は、前方にそれぞれブロック部材を支える傾斜座面１３１，１２１，１１１を有する。
【０００９】
２７はロック・プレート２上の止め歯２７であり、エキセン・ロック・カム３上の円形のエキセン・カム３３２とともに、接続ロックの固定構造を構成している。
【００１０】
エキセン・ロック・カム３は円形のエキセン・カム３３２、シャフト大３３３、シャフト小３３１から構成される。５点形ロック孔部３３４は、シャフト大３３３表面上に形成され、マッチング治具を用いてエキセン・ロック・カム３の円滑な回転を促す。
【００１１】
止め歯２７はエキセン・ロック・カム３の回転を止めることができ、使用時に、エキセン・ロック・カム３は、止め歯２７に達するまでは治具を用いて時計回りに回転する。エキセン・カム３３２は、ロック・プレート２の後端にある半環部２６の先端面２６１を押迫し、これにより、ロック・プレート２が後方へ動かされ、ロック・プレート２先端の３つのフック２１，２２，２３が反対方向に引っ張られることにより、横軸材に取り付けられている接続ロックが、縦軸材内側に固定される。
【００１２】
上記改良点を導入することにより、プレートつまみとエキセン・カムの構造は簡略化され固定構造は改良される。その結果、接続ロックの構造と製法は更に簡略化され、製造経費が軽減され、より適応性の高いものとなる。
【発明を実施するための最良の形態】
【００１３】
図４から１１には展示スタンド用接続ロックが示され、接続ロックはロック外殻１とロック・プレート２とエキセン・ロック・カム３を備えている。
ロック・プレート２はロック外殻１に挿入され、挿入後、エキセン・ロック・カム３はロック外殻１の底部にある弧状部１５１を有する開口部１５から、ロック・プレート２の孔部５５を貫通し、ロック外殻１上部の孔部５３へ挿入される。ロック・プレート２上には２つの細長状の溝部があり、それぞれ異なる３つの幅の部分４１，４２，４３から成る。細長状溝部によって、ロック・プレート２の先端に異なる幅の３つのロックつまみが形成され、プレートつまみの先端は湾曲しフック２１、２２、及び２３を形成し、それぞれ隣り合うフックとは逆方向に湾曲しており、それぞれのプレートつまみは傾斜面２３１，２１１，２２１を有する。
ロック外殻は、その前方にブロック部材を支える傾斜座面１３１，１２１，１１１を有する。接続ロックの固定構造は、ロック・プレート２の止め歯２７とエキセン・ロック・カム３の円形エキセン・カム３３２から構成されている。
【００１４】
止め歯２７はエキセン・ロック・カム３の回転を止めることができ、エキセン・ロック・カム３は、止め歯２７に達するまで、冶具を用いて反時計回りに回転する（図４，５，６，７，８，９，１０，１１参照）。一方、エキセン・ロック・カム３により発生する作用力によりロック・プレート２の前後運動が実現され、エキセン・ロック・カム３がロック・プレート２に作用力を加えるためには作用点を設定するほうがより好ましい。実施例の一例によると、作用点は、平面状の先端部２６１を有するＵ字状の半環部２６をロック・プレート２の後端部を湾曲することにより形成される。
【００１５】
また他の技術方法を用いて前後運動を実現することも可能である。例えば、他の実施例としては、ロック・プレート２の後端部にクサビ型突出部２６２を取り付ける方法であり、エキセン・ロック・カム３の接続ロックへの挿入時は、クサビ型突出部２６２はエキセン・ロック・カム３の後側に位置する。これにより、クサビ型突出部２６２はロック・プレート２とV字型の接面を構成する。
【００１６】
ロック・プレート２の製造のせん孔工程と同時に、クサビ型突出部２６２が製造されるため、作用力の作用点を得るために先端を湾曲させる方法に比べ、この方法の方が格段に容易である。クサビ型突出部２６２の製造は、ロック・プレート２のせん孔工程時に実現するため、製造工程が簡略化され、製造コストの削減という利点が生まれる。
【００１７】
この方法でのクサビ型突出部２６２とロック・プレート２によるＶ字型接面は、クサビ型突出部２６２とロック・プレート２の接続強度を強めており、クサビ型突出部２６２の耐力も強化される。さらに、この方法によると、エキセン・ロック・カム３とロック・プレート２による接面が、ロック・プレート２を押す作用力の方向と垂直になるため、より信頼性が高いものとなる。
【００１８】
障壁歯２８はロック・プレート２上に配置され、エキセン・カム３３２が時計周りに回転するのを防ぐ。ロック・プレート２の孔部５５はフランジ５５１を有する（図７及び８参照）。
【００１９】
第１方形開口部１４６はロック外殻１の上面に形成され、第２方形開口部１６はロック外殻１の上部に形成される。フランジ付帯１７は、ロック外殻１底面の内側面に配置される（図４及び５参照）。
【００２０】
エキセン・ロック・カム３は円形のエキセン・カム３３２、シャフト大３３３、シャフト小３３１から構成される。５点形ロック孔部３３４は、シャフト大３３３表面上に形成され、マッチング治具を用いてエキセン・ロック・カム３の円滑な回転を促す。
【００２１】
使用時に、止め歯２７はエキセン・ロック・カム３の回転を止めることができ、エキセン・ロック・カム３は、止め歯２７に達するまでは治具を用いて時計回りに回転する。
【００２２】
エキセン・カム３３２は、ロック・プレート２の後端にある半環部２６の先端面２６１を押迫し、これにより、ロック・プレート２が後方へ動かされ、ロック・プレート２先端の３つのフック２１，２２，２３が反対方向に引っ張られることにより、横軸材に取り付けられている接続ロックが、縦軸材内側に固定される。
【図面の簡単な説明】
【００２３】
【図１】従来の接続ロックの複合構造を示す側断面図。
【図２】図１に示されたロック・プレート２の側面図。
【図３】図２に示されたロック・プレート２の平面図。
【図４】本発明に基づいたロック外殻の底面図。
【図５】図４に示されたロック外殻の断面図。
【図６】本発明の実施例に基づいた接続ロックの側断面図。
【図７】図６に示されたロック・プレート２の側面図。
【図８】図７に示されたロック・プレート２の平面図。
【図９】図６に示されたエキセン・ロック・カム３の部分側断面図。
【図１０】図９に示されたエキセン・ロック・カム３の左側面図。
【図１１】図９に示されたエキセン・ロック・カム３の右側面図。
【図１２】本発明の別の実施例に基づいた接続ロックの底面図。
【図１３】図１２に示された接続ロックの側断面図。
【符号の説明】
【００２４】
１  ロック外殻。
２  ロック・プレート。
３  エキセン・ロック・カム。
５  ロック・プレート２に形成された孔部。
ロック・プレート２はロック外殻１に挿入され、挿入後、エキセン・ロック・カム３はロック外殻１の底部にある弧状部１５１を有する開口部１５から（図４参照）、ロック・プレート２の孔部５５を貫通し、ロック外殻１上部の孔部５３へ挿入される。
１１１、１２１、１３１  ロック外殻１支持面の間にある固定構造の一部であって、フック移動斜面２１１,２２１、２３１のブロックを支える傾斜座面。
１４６  ロック外殻１の内側面下部にある方形開口部。
１５  ロック外殻１の上面に形成された弧状部１５１をもつ開口部であり、ここにエキセン・ロック・カム３が挿入される。
１６  ロック外殻１側面にある方形開口部。
１７  ロック外殻１底面の内側面にあるフランジ付帯。
２１、２２、２３  ロック・プレート２のプレートつまみ１０１０,１０１１及び１０１２の先端から湾曲しているフックであり、フック２１及び２３は同方向へ湾曲し、フック２２はその逆方向へ湾曲している。
２１１、２２１、２３１  ロック・プレート２の先端のフック傾斜部であって、フック２１、２２、及び２３とプレートつまみ１０１０,１０１１及び１０１２間の、移行斜面である。
２４  ロック・プレート２の弾性固定ロッド。
２４１  弾性定ロッドとロック外殻１の内側面下部にある１４１の接点。
２７  ロック・プレート２のロック止め歯であり、エキセン・ロック・カム３と共に固定構造を構成する。
２８  ロック・プレート２にある障壁歯。
３３１  エキセン・ロック・カム３のシャフト小であり、ロック・プレート２の孔部５５を貫通し、ロック外殻１の側面下部の小孔部５３へ挿入される。
３３２  ロック・プレート３３２の孔部５５に位置する円形エキセン・カムであり、止め歯２７と共に固定構造を構成する。
３３３  エキセン・ロック・カム３の先端にあるシャフト大であり、ロック外殻１の側弧状部に合致する形状を有する。
３３４  ５点形ロック孔部であり、ロックの開閉が容易にするために、エキセン・ロック・カム３の先端にあるシャフト大３３３の表面に形成されている。
３６１  エキセン・ロック・カム３のカム大。
３６２  エキセン・ロック・カム３先端のストップカム。
４１、４２、４３  異なる幅の細長状溝。
５３  ロック外殻１の側面下部にある小孔部であり、エキセン・ロック・カム３のシャフト小に合致する形状を有する。
５５１  ロック・プレート２上の孔部５５のフランジ。
【図１】
2007518027.tif 000002
【図２】
2007518027.tif 000003
【図３】
2007518027.tif 000004
【図４】
2007518027.tif 000005
【図５】
2007518027.tif 000006
【図６】
2007518027.tif 000007
【図７】
2007518027.tif 000008
【図８】
2007518027.tif 000009
【図９】
2007518027.tif 000010
【図１０】
2007518027.tif 000011
【図１１】
2007518027.tif 000012
【図１２】
2007518027.tif 000013
【図１３】
2007518027.tif 000014
【国際調査報告】
2007518027.tif 000015
2007518027.tif 000016
2007518027.tif 000017
2007518027.tif 000018